(57)【要約】【課題】内股上部での臀部のずり下がりを抑制可能な下腿用衣料を提供すること。【解決手段】前身頃と、マチ部を有する後身頃と、一端が前記マチ部の最狭部又は前記最狭部よりも前側に縫着される補強布と、を備える。【選択図】図３
0003180459.tif 000002
【実用新案登録請求の範囲】
【請求項１】
前身頃と、
マチ部を有する後身頃と、
一端が前記マチ部の最狭部又は前記最狭部よりも前側に縫着される補強布と、
を備える下腿用衣料。
【請求項２】
前記補強布の内股くり部のアールの半径は前記後身頃の内股くり部のアールの半径よりも大きい請求項１に記載の下腿用衣料。
【請求項３】
前記後身頃は、前記マチ部を有する背面部と、前記前身頃の左右に縫着される２枚の前脇身頃と、一端が前記背面部に縫着され他端が前記前脇身頃に縫着される２枚の後脇身頃を備え、前記補強布は前記背面部と前記前脇身頃と前記後脇身頃とに亘って縫着される請求項１又は請求項２に記載の下腿用衣料。
【請求項４】
前記前身頃は同一又は異なる生地を二重にして形成され、前記補強布の他端は前記前身頃の側端に縫着される請求項１〜請求項３のいずれか１項に記載の下腿用衣料。
【請求項５】
前記前脇身頃と前記後脇身頃、及び、前記後脇身頃と前記背面部とが立体的に縫着される請求項１〜請求項４のいずれか１項に記載の下腿用衣料。
【考案の詳細な説明】
【技術分野】
【０００１】
本考案は、下腿用衣料に関する。
【背景技術】
【０００２】
従来より、女性の体型を整える機能を有するショーツ等の下腿用衣料が提供されている。ショーツは臀部を包み込むほど生地面積に余裕がないことが多く、臀部全体を包んで臀部のずり下がりを抑制するのは困難である。そこで従来のショーツは、レッグホール（足を入れるためにショーツに形成される二つの開口）の裏側にゴムテープを装着して臀部のずり下がりを抑制していた（特許文献１、特許文献２参照）。
【先行技術文献】
【特許文献】
【０００３】
【特許文献１】特開平９−１０１２９号公報
【特許文献２】特開２００１−３３１２７９号公報
【考案の概要】
【考案が解決しようとする課題】
【０００４】
従来の女性用下着はゴムテープによってレッグホールでの臀部のずり下がりを抑制できるが、その他の部位のずり下がりは抑制できない。加齢による臀部のずり下がりはレッグホール部のみで起こるものではなく、内股上部でも生じている。
【０００５】
本考案は上述した問題点に鑑み、内股上部での臀部のずり下がりを抑制可能な下腿用衣料を提供することを目的とする。
【課題を解決するための手段】
【０００６】
上記目的を達成するために本考案の下腿用衣料は、前身頃と、マチ部を有する後身頃と、一端が前記マチ部の最狭部又は前記最狭部よりも前側に縫着される補強布と、を備える。
【０００７】
また上記構成の下腿用衣料において、前記補強布の内股くり部のアールの半径は前記後身頃の内股くり部のアールの半径よりも大きい。
【０００８】
また上記構成の下腿用衣料において、前記後身頃は、前記マチ部を有する背面部と、前記前身頃の左右に縫着される２枚の前脇身頃と、前記前脇身頃及び前記背面部に縫着される２枚の後脇身頃を備え、前記補強布は前記背面部と前記前脇身頃と前記後脇身頃とに亘って縫着される。
【０００９】
また上記構成の下腿用衣料において、前記前身頃は同一又は異なる生地を二重にして形成され、前記補強布の他端は前記前身頃の側端に縫着される。
【００１０】
また上記構成の下腿用衣料において、前記前脇身頃と前記後脇身頃、及び、前記後脇身頃と前記背面部とが立体的に縫着される。
【考案の効果】
【００１１】
本考案によれば、内股上部での臀部のずり下がりを抑制することができる。
【図面の簡単な説明】
【００１２】
【図１】は、本実施形態のショーツを示す正面斜視図
【図２】は、本実施形態のショーツを示す背面斜視図
【図３】は、本実施形態のショーツの展開平面図
【図４】は、本実施形態のショーツの一部拡大図
【図５】は、補強布の平面図
【考案を実施するための形態】
【００１３】
以下に本考案の下腿用衣料について女性用のショーツを例に図面を参照して説明する。図１は本実施形態のショーツを示す正面斜視図である。図２は本実施形態のショーツを示す背面斜視図である。図３は本実施形態のショーツの展開平面図である。図４は本実施形態のショーツの一部拡大図である。図５は補強布の平面図である。
【００１４】
ショーツ１は下腹部の前部を覆う前身頃２と下腹部の後部（臀部）を覆う後身頃３とを縫着して形成される。ショーツ１は前身頃２と後身頃３とを縫着した際に、使用者の胴体が挿入される上部開口１ａと、使用者の両足が挿入される下部開口１ｂ、１ｃが形成される。上部開口１ａ、下部開口１ｂ、１ｃの周縁にはレース９ａ、９ｂ、９ｃが縫着される。
【００１５】
前身頃２は同一又は異なる生地を二重にして形成される。例えば、身生地を二重にして形成することとしてもよいし、身生地の裏面にパワーネット等ストレッチパワーのある編物を裏打ちして形成することとしてもよい。同一又は異なる生地を二重にして形成することにより前身頃２が補強されるので後述するように臀部のずり下がり抑制効果が向上する。
【００１６】
後身頃３はマチ部４１を有する１枚の背面部４、前身頃２の左右に縫着される２枚の前脇身頃５、一端が背面部４の側端に縫着され他端が前脇身頃５に縫着される２枚の後脇身頃（三角布）６を備える。
【００１７】
なお、図３では紙面に対して前身頃２の右側に前脇身頃５、後脇身頃６、背面部４が順に縫着された状態が示されているが、前身頃２の左側にも前脇身頃５、後脇身頃６が縫着されており、左側に縫着される前脇身頃５、後脇身頃６の図示を省略している。前身頃２の左側に縫着される後脇身頃６の後側側端（図３にて図示すれば左側端）は背面部４に縫着される。
【００１８】
また、図３では、ショーツ１が製品となった際に下腹部の前部に位置する側を「前側」、下腹部の後部に位置する側を「後側」という。例えば、前脇身頃５の「前側」側端と前身頃２が縫着され、前脇身頃５の「後側」側端と後脇身頃６が縫着される。また、ショーツ１が製品となった際の上半身側を「上側」、下半身側を「下側」という。
【００１９】
前脇身頃５の後側側端５ａは展開平面図において後側側端５ａの中央部付近が外方（後側）に膨らむ曲線状に形成される。また、後脇身頃６の前側側端６ａは展開平面図において前側側端６ａの中央部付近が外方（前側）に膨らむ曲線状に形成される。このように異なる方向に膨らむ曲線状の後側側端５ａと前側側端６ａを縫着することにより縫着部が立体的に形成されるので、着用した際に臀部の膨らみに沿う形状になる。
【００２０】
後脇身頃６の後側側端６ｂは展開平面図において後側側端６ｂの中央部付近が外方（後側）に膨らむ曲線状に形成される。また、背面部４の側端４ａは展開平面図において側端４ａの中央部付近が外方（前側）に膨らむ曲線状に形成される。このように異なる方向に膨らむ曲線状の後側側端６ａと側端４ａを縫着することにより縫着部が立体的に形成されるので、着用した際に臀部の膨らみに沿う形状になる。
【００２１】
すなわち本実施形態ではショーツ１の臀部側（後身頃３）の左右で２箇所ずつ立体縫着される。この縫着部を臀部の三次元的な立体形状に合うように形成するために、前脇身頃５、後脇身頃６、背面部４を立体裁断によって形成すればよい。なお、他の構成（例えば前身頃２）についても立体裁断で形成することとしてもよい。
【００２２】
背面部４はマチ部４１を有する。マチ部４１は背面部４と一体に形成されている。また、背面部４にはマチ部４１を覆うようにマチ布７が縫着されている。マチ布７の前端７ｂ及び側端７ｃは背面部４（背面部４のマチ部４１の前端４１ｂ及び側端４１ｃ）に縫着されるが、後端７ａは背面部４（背面部４のマチ部４１の後端４１ｃ）に縫着されない（いわゆる、マチ続きの後身頃である）。これにより、背面部４とマチ部４１とが袋部を構成する。
【００２３】
上述したようにマチ部４１は背面部４と一体に形成され、且つ、マチ布７の後端７ａは背面部４に縫着されないので、マチ部４１の後側にはマチ部４１を横断する縫着部が形成されない。これにより、マチ部４１の後側で左右方向への伸縮性が確保される。
【００２４】
後身頃３の内面には補強布８が縫着される。補強布８は前端８ａが前身頃２の側端２ａに縫着される。また、補強布８の下端（股くり部）８ｂは後身頃３の下端（股くり部）３ａの形状に沿ってアール形状に形成される。また、補強布８の後端（先端部）８ｃは先細りに形成される。なお、図３では図示を省略しているが図４に示すように後身頃３の内面には２枚の補強布８が縫着される。各補強布８の縫着方法は同様である。
【００２５】
補強布８は上述したように前端８ａが前身頃２の側端２ａに縫着され、前脇身頃５と後脇身頃６の縫着部１１、後脇身頃６と背面部４の縫着部１２を跨ぐように縫着される（言い換えれば補強布８は背面部４、前脇身頃５、後脇身頃６に亘って縫着される）。また、補強布８の後端８ｃはマチ部４１とマチ布７の間に配されてマチ部４１に縫着される。
【００２６】
より詳説すれば補強布８はマチ部４１の最狭部よりも前側に縫着される。ここで最狭部とは図３、図４に示すようにマチ部４１で幅の最も狭い部分（点Ｐと点Ｑを結ぶ部分）であり、ショーツ１を着用した際に最も下側（両足の内股の間）に位置する部分である。マチ部４１の最狭部の幅はショーツ１を設計する際に長さが定められる重要部分の一つである。
【００２７】
補強布８をマチ部４１の最狭部よりも前側に縫着することで、内股上部の臀部のずり下がりを好適に抑制することができる。マチ布７は補強布８がマチ部４１に縫着された後、或いは、補強布８をマチ部４１に縫着すると同時に、マチ部４１に縫着される。
【００２８】
図３は補強布８をマチ部４１に縫着する前の状態を示しており、図４は補強布８をマチ部４１に縫着した後の状態を示している。図３に示すように補強布８の後端８ｃは縫着前においてマチ部４１の最狭部よりも後方に位置している。この補強布８の後端８ｃをマチ部４１に縫着する際に、図４に示すように補強布８の後端８ｃをマチ部４１の最狭部よりも前側の側端に縫着する。これにより、ショーツ１を着用した際に補強布８がマチ部４１の前側を後側に引き上げると共に臀部を引き上げるので臀部のずり落ちが抑制される。
【００２９】
なお、本実施形態では補強布８の後端８ｃをマチ部４１の最狭部よりも前側の側端に縫着することとしたが、補強布８の後端８ｃをマチ部４１の最狭部に縫着することとしても同様の効果を得られる。言い換えれば、補強布８の後端８ｃはマチ部４１の最狭部よりも後側に縫着されない。
【００３０】
また、補強布８の下端８ｂの後端８ｃ側（内股くり部）のアールの半径は、後身頃３の下端３ａの後側（内股くり部）のアールの半径よりも大きく、後身頃３の下端３ａの後側（内股くり部）のカーブよりも補強布８の下端８ｂの後端８ｃ側（内股くり部）のカーブのほうが緩やかである。当該構成によりショーツ１を装着した際に補強布８の後端８ｃが内股に干渉せずに、内股上部に位置させることができ、臀部のずり下がりを上部で抑制することができる。
【００３１】
前端８ａが前身頃２の側端２ａに縫着されていることにより、補強布８に下方への負荷がかかった際には補強布８を前方に引っ張る力が発生する。また、前身頃２は同一又は異なる生地を二重にして形成されており、前身頃２の伸縮性を低下させているので補強布８に下方への負荷がかかった際に補強布８を前方に引っ張る力が強い。よって、補強布８に臀部の重量が負荷された際に補強布８と共に臀部が前方に引っ張られるので臀部のずり下がりが抑制される。
【００３２】
なお、上記説明では、臀部の立体的形状に合わせた形状とするために後身頃３が１枚の背面部４、２枚の前脇身頃５、２枚の後脇身頃６を縫着して形成することとしているが、１枚の背面部４、２枚の前脇身頃５、２枚の後脇身頃６が一体成型される（すなわち後身頃３が１枚の身生地からなる）こととしてもよい。当該構成であっても、補強布８の一端（後端８ｃ）をマチ部４１の最狭部よりも前側で縫着することで臀部のずり下がりを抑制することができる。
【００３３】
また、前身頃２が同一又は異なる生地を二重にして形成されることとしたが、後身頃３（背面部４、前脇身頃５、後脇身頃６の全部又は一部）も同一又は異なる生地を二重にして形成されることとしてもよい。生地を二重にして形成することで臀部の各部のずり下がり抑制効果が向上する。
【００３４】
本実施形態によれば、ショーツ１は、前身頃２と、マチ部４１を有する後身頃３と、後身頃３に縫着されると共に一端８ｃがマチ部４１の最狭部よりも前側に縫着される補強布８とを備える。当該構成により、補強布８が内股上部を補強して内股上部の臀部のずり下がりを抑制できる。
【００３５】
また、補強布８の内股くり部（下端）８ｂのアールの半径は後身頃３の内股くり部（下端）３ａのアールの半径よりも大きい。当該構成によりショーツ１を装着した際に補強布８の先端部（後端）８ｃをより内股上部に位置させることができ、臀部のずり下がりを上部で抑制することができる。
【００３６】
また、後身頃３は、マチ部４１を有する背面部４と、前身頃２の左右に縫着される２枚の前脇身頃５と、一端（後側側端）６ｂが背面部４に縫着され他端（前側側端）６ａが前脇身頃５に縫着される２枚の後脇身頃６を備え、補強布８は背面部４と前脇身頃５と後脇身頃６とに亘って縫着される。補強布８が背面部４と前脇身頃５と後脇身頃６に亘って縫着されることで、内股上部に加えて、背面部４と前脇身頃５と後脇身頃６によって覆われる位置のずり下がりも抑制される。
【００３７】
また、補強布８の他端８ａは同一又は異なる生地を二重にして形成される前身頃２の側端２ａに縫着される。これにより補強布８に下方への負荷がかかった際に補強布８を前方に引っ張る力（補強布８を元の位置に戻す力）が発生し、補強布８と共に臀部が引っ張られて臀部のずり下がりが抑制される。加えて、前身頃２の伸縮性を低下させているので補強布８に下方への負荷がかかった際に補強布８を前方に引っ張る力が強い。
【００３８】
また、前脇身頃５と後脇身頃６、及び後脇身頃６と背面部４とが立体的に縫着される。これにより臀部の立体的形状に合ったショーツとなり、ショーツ１によってずり下がりが抑制された際の臀部の形を美しい形に保持できる。
【００３９】
＜変形例１＞
上記実施形態では着用時の快適性を考慮して後身頃３の背面部４のマチ部４１とマチ布７との間に補強布８の後端８ｃを配してマチ部４１に縫着することとしたがこれに限られるものではない。マチ部４１にマチ布７を縫着し、補強布８の後端８ｃをマチ布７を介してマチ部４１に縫着する（すなわち、マチ部４１と補強布８の間にマチ布７が位置するように縫着する）こととしてもよい。
【００４０】
＜変形例２＞
また、上記実施形態では、後身頃３の内面に補強布８が縫着されることとしたが、後身頃３の外面に補強布８を縫着することとしてもよい。補強布８を後身頃３の外面に縫着する構成では、外部から視認可能な構成要素が増えるので、例えば前身頃２、後身頃３、補強布８の色、柄、模様を異なる色、柄、模様とすることで意匠性に優れたショーツとすることができる。
【００４１】
＜変形例３＞
また、上記実施形態のショーツ１は、一般的な女性用ショーツが備えるマチ布を備える構成としたが、マチ布を備えないショーツであっても適用可能である。マチ布を備えないショーツにおいては、補強布８の後端８ｃを後身頃の背面部のマチ部の最狭部又は前記最狭部よりも前側に縫着することとすればよい。当該構成によればマチ布を備えない女性用の下腿用衣料に加えて、一般的にマチ布を備えない男性用の下腿用衣料に適用することが可能である。なお、本変形例において補強布８は後身頃３の内面に縫着しても外面に縫着してもよい。
【００４２】
つまり、上記実施形態及び変形例をまとめると、本願発明の下腿用衣料は、前身頃と、マチ部を有する後身頃と、一端がマチ部の最狭部又は最狭部よりも前側に縫着される補強布と、を備えることを特徴としている。当該構成により、男性用、女性用を問わず、また、マチ布の有無を問わず各種下腿用衣料に適用して、内股上部での臀部のずり下がりを抑制することができる。
【産業上の利用可能性】
【００４３】
本考案は、下腿用衣料に利用できる。
【符号の説明】
【００４４】
１      ショーツ
２      前身頃
３      後身頃
４      背面部
５      前脇身頃
６      後脇身頃（三角布）
７      マチ布
８      補強布
１１、１２      縫着部
４１      マチ部
【図１】
0003180459.tif 000003
【図２】
0003180459.tif 000004
【図３】
0003180459.tif 000005
【図４】
0003180459.tif 000006
【図５】
0003180459.tif 000007